(57)【特許請求の範囲】
【請求項１】
上下に位置する棚板の前端面に、それぞれ上下一側面側に沿って単又は複数のガイドレールを並設した一対のレール部材を取付け、上位のレール部材はガイドレールを下方に向け、下位のレール部材はガイドレールを上方に向けて配し、上下のガイドレール間にオプションとして引戸をスライド可能に装着してなるレール部材を用いた棚用オプション取付装置であって、前記レール部材の前面側に沿ってハンギングレールを形成し、該ハンギングレールにオプションの係止部を係止して保持してなることを特徴とするレール部材を用いた棚用オプション取付装置。
【請求項２】
前記レール部材は、押出し成形した中空杆体であり、前面側の上下中央部に内部空間に連通した開口を形成し且つ該開口の上下に係止縁を設けて前記ハンギングレールとし、該ハンギングレールを使用しないときには開口を閉止可能なカバー部材を着脱自在に設けてなる請求項１記載のレール部材を用いた棚用オプション取付装置。
【請求項３】
前記棚板を支持する両側の支柱の前面に、合成樹脂製の支柱カバーを該棚板よりも前方へ突出させて取付け、該支柱カバーを上下のレール部材間に設けた引戸の戸当りとしてなる請求項１又は２記載のレール部材を用いた棚用オプション取付装置。
【発明の詳細な説明】
【０００１】
【発明の属する技術分野】
本発明は、レール部材を用いた棚用オプション取付装置に係わり、更に詳しくは収納棚の前方に引戸やスタッチーフ等のオプションを取付けることが可能なレール部材を用いた棚用オプション取付装置に関するものである。
【０００２】
【従来の技術】
従来、収納棚の棚板の前端面には、見出しプレートや価格プレート等を保持するための保持レールを設けたものが提供されている。この保持レールは、上下縁に設けた係止縁に各種プレートの上下端を保持して前方から見易くするためのものである。
【０００３】
また、収納キャビネットでは、筐体内の収納空間の前面開口部に引戸を設けるとともに、収納空間に単又は複数段の棚板を供えたものも提供されている。更に、組立て式の収納キャビネットでは、フレームに壁面パネルを装着するとともに、棚板を多段に取付け、更に引戸あるいは回転扉等を装着する構造のものも提供されている。
【０００４】
しかし、前者の見出しプレートの例では、棚板の前端に保持レールが一体的に設けられたり、別途用意した保持レールを棚板の前端に着脱可能に取付ける構造のものであるが、見出しプレートを保持する目的以外には使用できないものであった。また、後者の収納キャビネットの例では、棚板はあくまでも筐体やパネル及び引戸で囲まれた収納空間の内部に、引戸とは関係なく設けられたものである。
【０００５】
【発明が解決しようとする課題】
本発明が前述の状況に鑑み、解決しようとするところは、オープンラック構造の収納棚等の棚板の前端面に複数の機能を有するレール部材を取付けて、該レール部材を用いて引戸やスタッチーフ等の複数のオプションを使用目的に応じて簡単に取付けることが可能なレール部材を用いた棚用オプション取付装置を提供する点にある。
【０００６】
【課題を解決するための手段】
本発明は、前述の課題解決のために、上下に位置する棚板の前端面に、それぞれ上下一側面側に沿って単又は複数のガイドレールを並設した一対のレール部材を取付け、上位のレール部材はガイドレールを下方に向け、下位のレール部材はガイドレールを上方に向けて配し、上下のガイドレール間にオプションとして引戸をスライド可能に装着してなるレール部材を用いた棚用オプション取付装置であって、前記レール部材の前面側に沿ってハンギングレールを形成し、該ハンギングレールにオプションの係止部を係止して保持してなるレール部材を用いた棚用オプション取付装置を構成した。
【０００７】
また、前記レール部材は、押出し成形した中空杆体であり、前面側の上下中央部に内部空間に連通した開口を形成し且つ該開口の上下に係止縁を設けて前記ハンギングレールとし、該ハンギングレールを使用しないときには開口を閉止可能なカバー部材を着脱自在に設けてなるものである。
【０００８】
ここで、前記棚板を支持する両側の支柱の前面に、合成樹脂製の支柱カバーを該棚板よりも前方へ突出させて取付け、該支柱カバーを上下のレール部材間に設けた引戸の戸当りとしてなることが好ましい。
【０００９】
【発明の実施の形態】
次に本発明の実施の形態を添付図面に基づき更に詳細に説明する。図１〜図３は本発明に係るレール部材を用いた棚用オプション取付装置を適用した収納棚と机とを組合わせて構成した実験台の実施形態を示し、図４〜図１０はその詳細を示し、図中符号１は収納棚、２は机、３は支柱、４は棚板、５はレール部材をそれぞれ示している。
【００１０】
本実施形態の実験台は、収納棚１の前方に机２を連結して構成し、前記収納棚１は４本の支柱３，…間に複数の棚板４，…を多段に取付けたものであり、前記机２の後端は左右前側の前記支柱３，３にフック等の適宜な連結手段で連結して一体化している。また、前記机２の天板６と少なくとも一つの前記棚板４の高さを一致させて広い実験スペースを形成している。しかし、本発明においては、実験台の構造についての限定は不要であり、各種の収納棚等に適用できることは、以下の明細書及び図面の記載から明らかである。例えば、家具や什器にレール部材５を取付けて各種のオプションを装着することも可能である。
【００１１】
本発明に係るレール部材５は、長尺の型材であり、上下一側面側に沿って単又は複数のガイドレール８を並設するとともに、前面側に沿ってハンギングレール９を形成してなるものである。
【００１２】
また、本発明に係る棚用オプション取付装置は、棚板４の前端面７に沿ってレール部材５を取付け、該レール部材５を利用して各種の棚用オプションを装着するもので、前記レール部材５は長尺の型材であり、上下一側面側に沿って単又は複数のガイドレール８を並設するとともに、前面側に沿ってハンギングレール９を形成してなるものである。
【００１３】
前記レール部材５は、図４〜図６に示すように、本実施形態ではアルミニウムを押出し成形した中空杆体であり、前面側の上下中央部に内部空間１０に連通した開口１１を形成し且つ該開口１１の上下に係止縁１２，１２を設けて前記ハンギングレール９とし、該ハンギングレール９に後述のオプションの係止部を係止して保持し、該ハンギングレール９を使用しないときには開口１１を閉止可能なカバー部材１３を着脱自在に設けるようにしたものである。
【００１４】
更に詳しくは、前記レール部材５は、前記棚板４の前端面７に取付ける平面状の基板１４を有し、該基板１４の上下一側縁には小さな突縁１５を形成し、前記棚板４の表面板１６あるいは前端面７の下縁に後方へ折曲形成した補強板１７に前記突縁１５を当接して位置決めできるようにしている。また、前記ガイドレール８は、本実施形態では前後に２列に並設した凹溝で構成し、該凹溝の底面には引戸１８のスライド移動を容易にするために多数の微小突条を溝に沿って平行に形成した摺動面１９を設けている。尚、前記ガイドレール８は、凹溝の代わりに凸条とすることも可能であり、その場合には前記引戸１８の上下縁に該凸条を受け入れる凹溝部を形成し、あるいは下部に溝付き戸車を設けても良い。
【００１５】
前記レール部材５のガイドレール８を設けない上下一側面は、前記突縁１５から一方の係止縁１２にかけて連続的に湾曲した形状となっている。更に、前記開口１１の後縁は、内方へ段落ちさせて前記カバー部材１３のカバー部２０を受け入れる嵌合部２１，２１を形成している。また、前記カバー部材１３は、前記カバー部２０の背面に、前記レール部材５の係止縁１２，１２に弾性的に抜止め係合する爪２２Ａを外側に有する脚片２２，２２を突設している。一方、前記係止縁１２の端面は、前記カバー部材１３の脚片２２が弾性変形しながら爪２２Ａが進入し易いように傾斜面２３となっている。更に、本実施形態では使用しないが、前記内部空間１０であって、前記ガイドレール８の内方にタピンネジを螺合するためのネジ受入溝２４を形成している。
【００１６】
そして、第１実施形態は、図１、図５及び図６に示すように、一対の前記レール部材５，５を用い、上位のレール部材５はガイドレール８を下方に向け、下位のレール部材５はガイドレール８を上方に向けてそれぞれ上下に位置する棚板４，４の前端面７，７にネジ２５にて取付け、上下のガイドレール８，８間にオプションとして引戸１８，１８をスライド可能に装着している。ここで、前記引戸１８としては、ガラス板、合成樹脂板、金属板等を使用でき、透明であっても不透明であってもよい。そして、少なくとも２枚の引戸１８，１８を前後のガイドレール８，８に引き違い可能に装着している。この場合、前記レール部材５，５を取付けた上下の棚板４，４間に他の棚板４が存在しても良い。
【００１７】
また、図５及び図７に示すように、前記棚板４を支持する両側の支柱３，３の前面に、合成樹脂製の支柱カバー２６を該棚板４よりも前方へ突出させて取付け、該支柱カバー２６を上下のレール部材５，５間に設けた引戸１８，１８の戸当りとして利用している。前記支柱３と支柱カバー２６の構造には特に限定は不要であるが、本実施形態では金属製の支柱３の形状を、前面側が開放した断面コ字形とし、両側縁に内向き傾斜した係合片２７，２７を折曲形成したものとし、前記支柱カバー２６の形状を、前記支柱３の前面を覆う本体部２８の背面に前記係合片２７，２７に抜止め係合する脚片２９，２９を突設したものとした。本実施形態では、前記棚板４の前端面７を前記支柱３の前端と略面一に設定して取付け、そして支柱３の前面に取付けた支柱カバー２６の本体部２８の側面を前記引戸１８，１８の戸当りとしたのである。
【００１８】
また、第２実施形態は、図２、図８及び図９に示すように、前記棚板４の前端面７に取付けたレール部材５のハンギングレール９を利用して、オプションとしてスタッチーフ３０を長手方向任意の位置に取付け、該スタッチーフ３０の先端に設けたクランプ３１でフラスコ３２等の実験器具を保持できるようにしている。ここで、前記スタッチーフ３０は公知の構造のものであるが、前記ハンギングレール９の両係止縁１２，１２の内側に係止部材３３のフランジ部３４を当接するとともに、該係止部材３３の螺軸３５に本体部３６の螺孔３７を螺合して、前記係止縁１２，１２を内外から挟持して固定し、更に支持パイプ３８を本体部３６の支持筒３９内に挿入するとともに、該支持パイプ３８を貫通させた押え部材４０を前記支持筒３９の外周に形成したテーパー状の雄ネジ部４１に該押え部材４０の内周に形成したテーパー状の雌ネジ部４２を螺合して支持筒３９を狭窄し、前記支持パイプ３８を固定する構造である。また、前記クランプ３１の支持棒４３を前記支持パイプ３８に内挿し、図示しない蝶ネジ等を支持パイプ３８に螺合貫通させて支持棒４３を固定するのである。しかし、このスタッチーフ３０の構造は任意であり、他の構造の係止部を有するオプションをレール部材５のハンギングレール９を利用して取付けることができる。
【００１９】
また、第３実施形態は、図３及び図１０に示すように、卓上ヒュームフード４４を収納棚１の前面で机２の天板６上に設置し、収納棚１の側部に装着した排気装置４５に図示しない排気ダクトで接続したものである。ここで、前記卓上ヒュームフード４４は、机２の天板６に載置するが、不意に前後に移動しないように、背面上部に突設した上向きフック４６を、前記棚板４の前端面７に取付けたレール部材５のハンギングレール９の上側係止縁１２に係止している。
【００２０】
以上、前記レール部材５を利用して装着するオプションの例を説明したが、本発明は前述のオプションに限定されず、各種のオプションを装着することが可能である。例えば、上下の棚板４，４に取付けた上下のレール部材５，５のハンギングレール９，９の両方を利用して縦棒を取付け、該縦棒に各種の器具を装着するような使用形態も考えられる。
【００２１】
【発明の効果】
以上にしてなる請求項１に係る発明のレール部材を用いた棚用オプション取付装置は、上下に位置する棚板の前端面に、それぞれ上下一側面側に沿って単又は複数のガイドレールを並設した一対のレール部材を取付け、上位のレール部材はガイドレールを下方に向け、下位のレール部材はガイドレールを上方に向けて配し、上下のガイドレール間にオプションとして引戸をスライド可能に装着してなるレール部材を用いた棚用オプション取付装置であって、前記レール部材の前面側に沿ってハンギングレールを形成し、該ハンギングレールにオプションの係止部を係止して保持してなるので、レール部材は同一部材にガイドレールとハンギングレールといった使用目的の異なる複数のレールを設けたので、それらを同時に使用する場合には設置スペースを小さくすることができるとともに、コストの低減化が図れ、そしてオープンラック構造の収納棚の上下棚板の前端面に取付けたレール部材のガイドレール間に引戸をスライド可能に装着して、開閉扉付きのキャビネットに類似した構造とすることができ、収納棚の内部に収容した物品の落下を防止できるとともに、引戸を不透明とした場合には物品を隠すことができ、またハンギングレールを用いてスタッチーフ等のオプションを取付けることができる。
【００２２】
請求項２によれば、レール部材のハンギングレールを利用して各種のオプションの係止部を係止して保持することができ、またハンギングレールを使用しないときにはカバー部材でハンギングレールの開口を閉止するので、外観性に優れている。
【００２３】
請求項３によれば、支柱の前面に取付けた支柱カバーを、上下のレール部材間に設けた引戸の戸当りとして利用することができる。
【図面の簡単な説明】
【図１】本発明の棚用オプション取付装置を適用した第１実施形態の実験台を示す全体斜視図である。
【図２】同じく第２実施形態の実験台を示す全体斜視図である。
【図３】同じく第３実施形態の実験台を示す全体斜視図である。
【図４】本発明に係るレール部材の詳細を示し、（ａ）は拡大部分斜視図、（ｂ）は拡大断面図である。
【図５】第１実施形態における上下のレール部材間に引戸を装着する場合の分解斜視図である。
【図６】同じく組立て状態の縦断面図である。
【図７】同じく組立て状態の横断面図である。
【図８】第２実施形態におけるレール部材とスタッチーフの関係を示す分解斜視図である。
【図９】同じく組立て状態の縦断面図である。
【図１０】第３実施形態におけるレール部材と卓上ヒュームフードとの関係を示す分解斜視図である。
【符号の説明】
１  収納棚                ２  机
３  支柱                  ４  棚板
５  レール部材            ６  天板
７  前端面                ８  ガイドレール
９  ハンギングレール      １０  内部空間
１１  開口                １２  係止縁
１３  カバー部材          １４  基板
１５  突縁                １６  表面板
１７  補強板              １８  引戸
１９  摺動面              ２０  カバー部
２１  嵌合部              ２２  脚片
２２Ａ  爪                ２３  傾斜面
２４  ネジ受入溝          ２５  ネジ
２６  支柱カバー          ２７  係合片
２８  本体部              ２９  脚片
３０  スタッチーフ        ３１  クランプ
３２  フラスコ            ３３  係止部材
３４  フランジ部          ３５  螺軸
３６  本体部              ３７  螺孔
３８  支持パイプ          ３９  支持筒
４０  押え部材            ４１  雄ネジ部
４２  雌ネジ部            ４３  支持棒
４４  卓上ヒュームフード  ４５  排気装置
４６  上向きフック
【図１】
0003633524.tif 000002
【図２】
0003633524.tif 000003
【図３】
0003633524.tif 000004
【図４】
0003633524.tif 000005
【図５】
0003633524.tif 000006
【図６】
0003633524.tif 000007
【図７】
0003633524.tif 000008
【図８】
0003633524.tif 000009
【図９】
0003633524.tif 000010
【図１０】
0003633524.tif 000011